(57)【要約】【課題】ユーザにとって簡単で判り易い操作により、また、高い秘匿性を保った状態で通信識別データの設定が可能な無線通信システム、ならびに、無線通信機器を提供することにある。【解決手段】無線通信手段を有する第１機器（１０）と、無線通信手段および表示出力手段を有する第２機器（４０）とを備えた無線通信システムにおいて、第１機器（１０）には、加速度センサと、該加速度センサの検出に基づいて当該第１機器の移動態様を所定フォーマットでコード化する演算手段と、当該第１機器のＩＤ読取用の移動態様に基づいて前記演算手段によりコード化されたデータを通式識別データとして設定するＩＤ設定処理を実行する制御手段とが設けられ、第２機器（４０）には、通信識別データを所定フォーマットで表わした表示内容を出力するＩＤ読取用表示処理を実行する第２制御手段が設けられている。【選択図】図１１
2008228189.tif 000002
【特許請求の範囲】
【請求項１】
無線通信手段を有する第１機器と、無線通信手段および表示出力又は表示信号出力が可能な手段を有する第２機器とを備えた無線通信システムにおいて、
前記第１機器には、
位置の変位を検出可能な加速度センサと、
該加速度センサの検出に基づいて当該第１機器の移動態様を所定フォーマットでコード化する演算手段と、
無線通信に必要な通信識別データを設定するための処理を行う第１制御手段と、
当該設定処理へ移行させる指令の入力が可能な操作部と、
該操作部により入力された指令を前記第２機器に出力する指令出力部と、
が設けられ、
前記第２機器には、
前記通信識別データを設定するための処理を行う第２制御手段と、
前記指令出力部からの指令を入力する指令入力部と、
が設けられ、
前記第２制御手段は、前記指令入力部からの指令に基づき、順次、
キャリブレーション用の移動態様を表わした表示内容を出力させるキャリブレーション用表示処理と、
前記通信識別データを所定フォーマットで移動態様に表わした表示内容を出力させるＩＤ読取用表示処理と、
確認データを所定フォーマットで移動態様に表わした表示内容を出力させる確認データ読取用表示処理と、
無線通信により前記確認データを受信して先に表示出力した確認データと一致するか比較する確認処理と、
を実行するように構成され、
前記第１制御手段は、前記操作部からの指令に基づき、順次、
前記第１機器のキャリブレーション用の移動態様に基づいて前記加速度センサ又は前記演算手段のキャリブレーションを行うキャリブレーション処理と、
前記第１機器のＩＤ読取用の移動態様に基づいて前記演算手段によりコード化されたデータを前記通信識別データとして設定するＩＤ設定処理と、
前記第１機器の確認データ読取用の移動態様に基づいて前記演算手段によりコード化されたデータを確認データとして無線送信する確認データ送信処理と、
を実行するように構成されていることを特徴とする無線通信システム。
【請求項２】
無線通信手段を有する第１機器と、無線通信手段および表示出力又は表示信号出力が可能な手段を有する第２機器とを備えた無線通信システムにおいて、
前記第１機器には、
位置の変位を検出可能な加速度センサと、
該加速度センサの検出に基づいて当該第１機器の移動態様を所定フォーマットでコード化する演算手段と、
当該第１機器のＩＤ読取用の移動態様に基づいて前記演算手段によりコード化されたデータを無線通信に必要な通式識別データとして設定するＩＤ設定処理を実行可能な第１制御手段と、
が設けられ、
前記第２機器には、
前記通信識別データを所定フォーマットで移動態様に表わした表示内容を出力するＩＤ読取用表示処理を実行する第２制御手段が設けられていることを特徴とする無線通信システム。
【請求項３】
前記第１制御手段は、
前記第１機器のキャリブレーション用の移動態様に基づいて前記加速度センサ又は前記演算手段のキャリブレーションを行うキャリブレーション処理が実行可能であり、
前記第２制御手段は、
キャリブレーション用の移動態様を表わした表示内容を出力するキャリブレーション用表示処理が実行可能であることを特徴とする請求項２記載の無線通信システム。
【請求項４】
前記第２制御手段は、
確認用データを所定フォーマットで移動態様に表わした表示内容を出力させる確認用表示処理と、
無線通信により前記確認用データを受信して先に表示出力した確認用データと一致するか比較する確認処理と、を実行可能であり、
前記第１制御手段は、
前記第１機器の確認データ読取用の移動態様に基づいて前記演算手段によりコード化されたデータを確認データとして無線送信する確認データ送信処理を実行可能であることを特徴とする請求項２又は３記載の無線通信システム。
【請求項５】
前記第１機器および／または前記第２機器には、
前記通信識別データを設定するための処理へ移行させるための指令を入力する操作部が設けられていることを特徴とする請求項２〜４の何れか１項に記載の無線通信システム。
【請求項６】
位置の変位を検出可能な加速度センサと、
該加速度センサの検出に基づいて移動態様を所定フォーマットでコード化する演算手段と、
該演算手段によりコード化されたデータを無線通信に必要な通式識別データとして設定するＩＤ設定処理を実行する制御手段と、
を備えていることを特徴とする無線通信機器。
【請求項７】
無線通信手段と表示出力又は表示信号出力が可能な表示出力手段とを有した無線通信機器であって、
無線通信に必要な通信識別データを所定フォーマットで移動態様に表わした表示内容を出力させる制御手段が設けられていることを特徴とする無線通信機器。
【発明の詳細な説明】
【技術分野】
【０００１】
この発明は、無線通信手段を有する第１機器と、無線通信手段および表示出力手段等を有する第２機器とを備えた無線通信システム、ならびに、これらの無線通信機器に関する。
【背景技術】
【０００２】
無線通信機器においては、見知らぬ通信機器と無制限に無線通信が行われてしまうのを防ぐために通信識別データを設定し、この通信識別データを用いて通信対象を制限するのが一般である。通信識別データとしては、無線伝送される送信データのヘッダ等に付加されるペアリングＩＤや、無線伝送される送信データの暗号化に使われる暗号キーデータなどがある。
【０００３】
また、本発明に関連する従来技術として、次のような技術の開示があった。例えば、特許文献１には、無線通信で音楽視聴が可能なヘッドセットにおいてユーザの操作によってペアリング処理を実行させる技術について開示されている。また、特許文献２には、リモコンによりバーコードを読み取って、これをサーバ装置に送ることで、家電機器の通信アドレスをサーバ装置に設定する技術が開示されている。
【０００４】
また、特許文献３には、リモコンに赤外線による認識コードを受光させて操作対象の機器を切り換える技術が開示されている。また、特許文献４には、ユーザの頭部に発光素子を装着させその動きによって機器の選択操作を可能とした技術が開示されている。また、特許文献５には、テレビに対してリモコンを回転動作させたり平行移動させたりすることでチャンネル変更や音量変更を可能とした技術が開示されている。また、特許文献６には、リモコンの位置や姿勢によりカーソル操作信号を形成する技術が開示されている。
【特許文献１】特開２００３−２５９４７５号公報
【特許文献２】特開２００５−０７２７６４号公報
【特許文献３】特開２００４−０９６２８０号公報
【特許文献４】特開平０９−２４４７９３号公報
【特許文献５】特開２００３−５１６０７５号公報
【特許文献６】特開２００６−２４５７２１号公報
【発明の開示】
【発明が解決しようとする課題】
【０００５】
映像機器やオーディオ機器などの家電製品では、コンピュータ関連機器と異なってキーボードのような文字や数字の入力を速やかに行える入力装置を有していない。そのため、無線通信機能を有する家電機器に無線通信用の識別データを設定するのは、ユーザにとって煩雑な作業となる。
【０００６】
また、通信識別データは、第三者の無線通信機器に勝手に設定されると意図しない無線通信が勝手に行われてしまうことから、秘匿性を要するものである。従って、無線信号や赤外線を用いて通信識別データを相手機器に送信する必要のある設定処理では、通信識別データの秘匿性を保つことが出来ないという問題がある。
【０００７】
この発明の目的は、表示機能を備えた機器に対応させて、ユーザにとって簡単で判り易い操作により、また、高い秘匿性を保った状態で、通信識別データの設定処理が可能な無線通信システム、ならびに、無線通信機器を提供することにある。
【課題を解決するための手段】
【０００８】
本発明は、上記目的を達成するため、無線通信手段を有する第１機器と、無線通信手段および表示出力又は表示信号出力が可能な手段を有する第２機器とを備えた無線通信システムにおいて、前記第１機器には、位置の変位を検出可能な加速度センサと、該加速度センサの検出に基づいて当該第１機器の移動態様を所定フォーマットでコード化する演算手段と、当該第１機器のＩＤ読取用の移動態様に基づいて前記演算手段によりコード化されたデータを無線通信に必要な通式識別データとして設定するＩＤ設定処理を実行可能な第１制御手段とが設けられ、前記第２機器には、前記通信識別データを所定フォーマットで移動態様に表わした表示内容を出力するＩＤ読取用表示処理を実行する第２制御手段が設けられている構成とした。
【０００９】
このような手段によれば、第２機器にＩＤ読取用表示処理を行わせ、この表示に従ってユーザが第１機器を動かすことで、第２機器から第１機器へ通信識別データを認識させることが出来る。従って、キーボードを用いた文字入力等が行えなくても、わかり易い操作によって通信識別データを第２機器から第１機器へ送って設定させることが出来る。また、この際、通信識別データは、無線信号や赤外線信号で送られるわけでないので、高い秘匿性を実現することが出来る。
【００１０】
好ましくは、前記第１制御手段は、前記第１機器のキャリブレーション用の移動態様に基づいて前記加速度センサ又は前記演算手段のキャリブレーションを行うキャリブレーション処理が実行可能であり、前記第２制御手段は、キャリブレーション用の移動態様を表わした表示内容を出力させるキャリブレーション用表示処理が実行可能な構成とすると良い。
【００１１】
例えば、第２機器が、外部の表示装置へ信号出力して表示出力を行わせる機器である場合、表示画面の大きさによりＩＤ読取用表示の大きさも異なってしまうため、第１機器でこの表示をなぞる動作を行わせる際に、加速度センサの検出出力や演算手段によるコード化の処理に表示の大きさの違いが影響してしまう。また、表示画面の大きさが一定であっても、ユーザの第１機器の動かし方、或いは、加速度センサや演算手段によるコード化の処理に誤差が生じることがある。そこで、上記の構成によれば、キャリブレーション処理により上記の誤差を補正して一定の移動態様の認識を行うことが可能となる。
【００１２】
好ましくは、前記第２制御手段は、確認用データを所定フォーマットで移動態様に表わした表示内容を出力させる確認用表示処理と、無線通信により前記確認用データを受信して先に表示出力した確認用データと一致するか比較する確認処理とを実行可能であり、前記第１制御手段は、前記第１機器の確認データ読取用の移動態様に基づいて前記演算手段によりコード化されたデータを確認データとして無線送信する確認データ送信処理が可能な構成とすると良い。
【００１３】
このような構成によれば、通信識別データの設定処理の後に、上記の確認データの送受信を行って、正しくＩＤ設定がなされているか確認することが出来る。例えば、無線通信可能な機器が複数ある場合には、通信識別データの設定処理の後、無線リンクを確立できた機器が存在するというだけでは、何れの機器と無線リンクを確立できたのか分からず、先ほど設定処理した機器で正しくＩＤ設定できたのか確認することはできない。しかし、上記構成によれば、確認データの送受信を行って、先ほど設定処理した機器で正しくＩＤ設定できたことを確実に確認することが出来る。
【００１４】
具体的には、前記第１機器および／または前記第２機器には、前記通信識別データを設定するための処理へ移行させるための指令を入力する操作部が設けられていると良い。
【００１５】
このような構成によれば、操作部からの入力により、適宜、通信識別データを設定するための処理に移行して、第１機器と第２機器との処理の同期を図ることが出来る。
【００１６】
また、本発明の無線通信機器は、位置の変位を検出可能な加速度センサと、該加速度センサの検出に基づいて移動態様を所定フォーマットでコード化する演算手段と、該演算手段によりコード化されたデータを無線通信に必要な通式識別データとして設定するＩＤ設定処理を実行する制御手段と、
を備えているものである。
【００１７】
また、無線通信手段と表示出力又は表示信号出力が可能な表示出力手段とを有した無線通信機器であって、無線通信に必要な通信識別データを所定フォーマットで移動態様に表わした表示内容を出力させる制御手段が設けられている無線通信機器である。
【００１８】
このような無線通信機器を組み合わせることで、上述した通信識別データの設定処理を実現することが出来る。
【発明の効果】
【００１９】
以上説明したように、本発明に従うと、キーボードのような文字や数字を効率的に入力できる入力手段を有していなくても、表示機能を備えた機器に対応させて、ユーザにとって簡単で判り易い操作により通信識別データの設定を行うことが出来る。また、高い秘匿性を保ったまま通信識別データの設定が出来るという効果がある。
【発明を実施するための最良の形態】
【００２０】
以下、本発明の実施の形態を図面に基づいて説明する。
【００２１】
図１は、本発明の実施形態である第１機器としての音声受信機を表わしたもので、（ａ）はその側面図、（ｂ）は平面図である。図２は、本発明の実施形態である第２機器としてのテレビ受像機を表わした正面図である。また、図３には、音声受信機１０の内部構成を示すブロック図を、図４には、テレビ受像機４０の内部構成を示すブロック図を、それぞれ示す。
【００２２】
この実施の形態の無線通信システムは、音声信号又は音声データを無線受信してヘッドフォン端子に音声出力が可能な第１機器としての音声受信機１０と、音声信号又は音声データを無線伝送する第２機器としてのテレビ受像機４０とから構成されるワイヤレス音声伝送システムである。
【００２３】
音声受信機１０は、図１（ａ）や（ｂ）に示すように、片手で移動できる形態に形成され、赤外線信号を出力可能な指令出力部としてのＩＲ発光部１１と、位置の変位量を検知可能な加速度センサ１２と、ヘッドフォン等が接続可能なヘッドフォン端子１３と、ユーザからの指令を入力する操作部（ペアリングＩＤの設定処理に移行するためのペアリングボタン１４、ＯＫ指令を入力するためのＯＫボタン１５等）等を備えている。また、図３に示すように、アンテナＡＮ１を介して無線信号の送受信を行う無線送受信回路１６と、受信した音声データ又は音声信号の復調や復号を行う信号処理回路１７と、音声信号を出力用に増幅処理するアンプ１８と、無線通信に必要な通信識別データとしてのペアリングＩＤ等が格納されるフラッシュメモリ等の記憶装置１９と、機器の全体的な制御を行う第１制御手段としてのコントローラ２０と、コントローラ２０とデータをやり取りしながら各ボタン１４，１５からの操作入力、加速度センサ１２からのセンサ入力、および、ＩＲ発光部１１への信号出力等を行うサブコントローラ２１等を備えている。
【００２４】
無線送受信回路１６は、記憶装置１９に設定されているペアリングＩＤを使用して無線通信を行うように構成されている。例えば、このペアリングＩＤをヘッダに付加して無線信号の送信を行ったり、このペアリングＩＤがヘッダに付加されている無線信号の受信を行ったりする。
【００２５】
コントローラ２０は、内部にＣＰＵ（中央演算処理装置）、制御プログラムや制御データを格納したＲＯＭ（Read Only Memory）、ＣＰＵに作業用のメモリ空間を与えるＲＡＭ（Random Access Memory）、データや各種信号の入出力を行うＩ／Ｏ等を備え、制御プログラムの実行により各部の制御を行うようになっている。また、上記の制御プログラムには、加速度センサ１２の検出信号から音声受信機１０の移動経路や移動量を測定する演算処理や、この移動経路や移動量を所定のフォーマットに従ってコード化するコード化処理を実行させる処理プログラム（演算手段）が含まれている。また、加速度センサ１２の検出信号或いは上記移動量を測定する演算処理に対してキャリブレーションを行う処理プログラムや、上記のコード化処理を利用してペアリングＩＤの設定を行う処理プログラムが含まれている。
【００２６】
テレビ受像機４０は、図２や図４に示すように、表示出力を行う表示パネル４１と、音声出力を行うアンプ＆スピーカ４５と、アンテナＡＮ２を介してテレビ放送信号の選択的な受信を行うチューナ４２と、放送信号から表示信号や音声信号を復調したり無線伝送用に音声信号を符号化する信号処理回路４３と、表示信号に図形や文字の表示データを挿入するＯＳＤ（On Screen Display）処理部４４と、アンテナＡＮ３を介して無線信号の送受信を行う無線送受信回路４６と、無線通信に必要なペアリングＩＤ等が格納されるフラッシュメモリ等の記憶装置４７と、機器の全体的な制御を行う第２制御手段としてのコントローラ４８と、種々の操作ボタンを有する操作部４９と、リモコン信号等の赤外線信号の入力が可能な指令入力部としてのＩＲ受光部５０と、コントローラ４８とデータのやり取りを行いながら操作部４９とＩＲ受光部５０からの信号入力処理を行うサブコントローラ５１等を備えている。
【００２７】
上記無線送受信回路４６は、記憶装置４７に設定されているペアリングＩＤを使用して無線通信を行うように構成されている。
【００２８】
コントローラ４８は、内部にＣＰＵ、制御プログラムや制御データを格納したＲＯＭ、ＣＰＵに作業用のメモリ空間を与えるＲＡＭ、データや各種信号の入出力を行うＩ／Ｏ等を備え、制御プログラムの実行により各部の制御を行うようになっている。また、上記の制御プログラムには、所定のコードを所定フォーマットに従って移動経路や移動量に表わした動画像を生成する処理プログラムや、ペアリングＩＤの設定を行うためにキャリブレーション用の表示を行ったり、ペアリングＩＤを移動経路や移動量で表わした動画像、確認用コードを移動経路や移動量で表わした動画像を表示出力させる処理プログラムなどが含まれている。
【００２９】
上記のような構成によれば、テレビ受像機４０は、チューナ４２で受信したテレビ放送信号に基づき表示パネル４１にテレビ放送の表示出力を行ったり、また、アンプ＆スピーカ４５からテレビ放送の音声出力を行うことが可能である。また、リモコンや操作部４９の操作によって、アンプ＆スピーカ４５からの音声出力を停止して、無線送受信回路４６を介した音声伝送も可能になっている。また、ＩＲ受光部５０を介して音声受信機１０の信号を入力することで、後述するペアリングＩＤを設定するための各処理を実行することが可能になっている。
【００３０】
また、音声受信機１０は、ペアリングＩＤが設定されて無線通信可能な状態にされた状態において、テレビ受像機４０から無線伝送される音声信号又は音声データを受信して、これを音声信号に復号および復調してヘッドフォン接続端子１３に出力することが可能になっている。また、ペアリングボタン１４を押すことで、後述するペアリングＩＤを設定するための各処理が実行可能なように構成されている。
【００３１】
次に、音声受信機１０とテレビ受像機４０とで協同して実行されるペアリング処理について、図５〜図８のフローチャートを参照しながら説明する。
【００３２】
図５と図６には、テレビ受像機４０のコントローラ４８により実行されるペアリング処理のフローチャートを、図７と図８には、音声受信機１０のコントローラ２０により実行されるペアリング処理のフローチャートをそれぞれ示す。また、図９〜図１１には、ペアリング処理中に行われるキャリブレーション処理における動作内容の一例を表わした説明図を、図１２にはコードを移動経路や移動量で表わした表示内容の一例を表わした説明図を示す。
【００３３】
音声受信機１０側のペアリング処理（図７，図８）は、ユーザがペアリングボタン１４を押下することで開始される。また、テレビ受像機４０側のペアリング処理（図５，図６）は、ペアリングボタン１４の押下を示す情報がＩＲ発光部１１からＩＲ受光部５０に送られることで開始される。また、これら両機器で実行されるペアリング処理は、互いに同期して処理が進められていく。なので、次に、これらの処理を並行的に説明していく。
【００３４】
ペアリング処理が開始されると、先ず、テレビ受像機４０と音声受信機１０との両方で、ペアリングモードの通信状態に切り替える処理を行う（ステップＳ１，ステップＳ３０）。ペアリングモードの通信状態とは、無線送受信回路１６，４６の通信動作を停止させ、ＩＲ発行部１１とＩＲ受光部５０を介した赤外線信号により通信を行うものである。次いで、テレビ受像機４０は、コントローラ４８がＯＳＤ処理部４４を制御することで、初期位置画面の表示出力を行う（ステップＳ２）。初期位置画面には、例えば図２に示すように、円マークＭ１と、白丸の位置に音声受信機１０を近づけてＯＫボタン１５を押すよう指示するメッセージＭ２とが表示される。
【００３５】
次いで、音声受信機１０とテレビ受像機４０との両方で、ＯＫボタン１５が押下されたか信号の入力処理を行って（ステップＳ３，Ｓ３１）、信号入力がなければステップＳ４，Ｓ３２の判別処理でタイムアウトになるまでこれら入力処理（ステップＳ３，Ｓ３１）を繰り返すループ処理を行う。
【００３６】
ここで、ユーザは、図９に示すように、音声受信機１０を円マークＭ１に近づけてＯＫボタン１５を押下する。すると、その操作信号がサブコントローラ２１を介してコントローラ２０に入力され、且つ、この信号が赤外線信号によりテレビ受像機４０に送信されてそのコントローラ４８にも入力される。そして、これらの信号入力により、音声受信機１０とテレビ受像機４０とで、それぞれキャリブレーションを実行する処理（図５のステップＳ３〜Ｓ７、図７のステップＳ３３〜Ｓ３５）へ移行する。
【００３７】
［キャリブレーション処理］
ＯＫボタン１５が押下されてキャリブレーション処理に移行したら、先ず、テレビ受像機４０では、コントローラ４８がＯＳＤ処理部４４を制御して図１０のキャリブレーション画面が表示出力される（ステップＳ５）。このキャリブレーション画面では、図１０に示すように、円マークＭ１を横や縦に一定量移動させる動画像と、白丸の動きを音声受信機１０で追従するよう指示するメッセージＭ３等が表示される。
【００３８】
テレビ受像機４０においてキャリブレーション画面が出力されたら、続くステップＳ６で音声受信機１０から送られてくる動作終了信号の入力処理を行う。そして、動作終了信号の入力がなければ、ステップＳ７の判別処理により所定のタイムアウト時間が経過するまで、この入力処理を繰り返し、動作終了信号の入力があれば続くステップＳ８に移行する。
【００３９】
一方、音声受信機１０では、ステップＳ３３において、加速度センサ１２からの信号を受けて音声受信機１０の移動経路や移動量を認識する処理と、この計測値を基準値に合わせるキャリブレーション処理との各処理を開始する。
【００４０】
ここで、ユーザは、図１１に示すように、音声受信機１０をキャリブレーション画面の円マークＭ１の移動に追従させて移動させる。すると、この移動経路や移動量が音声受信機１０のコントローラ２０により認識され、この移動量の計測値を所定の基準値に合わせる係数演算が行われる。そして、これらの処理により、例えば、加速度センサ１２により計測された移動量の値を、表示パネル４１の大きさに依存しない標準化された値に補正することが可能となる。
【００４１】
音声受信機１０では、上記のキャリブレーション処理を開始させたら、続いて、ステップＳ３４に移行してキャリブレーション動作の終了を確認する処理を行う。そして、動作終了が確認されなければ、ステップＳ３５の判別処理により所定のタイムアウト時間が経過するまで、この確認処理を繰り返す。
【００４２】
キャリブレーション動作の終了は、例えば、音声受信機１０が所定回停止されるか（例えば、キャリブレーション用の動画像で円マークが縦に一回移動して停止し、続いて横に一回移動して停止するものなら２回の停止）、或いは、ＯＫボタンが押下されること等により確認することが出来る。キャリブレーション動作の終了時にはそれを示す動作終了信号が赤外線信号によりテレビ受像機４０にも送られる。
【００４３】
このようにしてキャリブレーション動作の終了が音声受信機１０およびテレビ受像機４０に確認されたら、続いて、ペアリングＩＤをテレビ受像機４０から音声受信機１０に読み取らせる処理（図５のステップＳ８〜Ｓ１１、図６のステップＳ３６〜Ｓ３９）に移行する。
【００４４】
［ペアリングＩＤの読取処理］
キャリブレーション処理が完了してペアリングＩＤを読み取らせる処理に移行したら、先ず、テレビ受像機４０のコントローラ４８は、ステップＳ８において、ペアリングＩＤを所定フォーマットに従った移動経路で表わした動画像パターンを生成し、続くステップＳ９でこの動画像パターンを表示内容としたペアリング画面の表示出力を行う。ここで、ペアリングＩＤは予めテレビ受像機４０の記憶装置４７に記憶されているものであり、テレビ受像機４０のコントローラ４８はこれを読み出して上記の動画パターンを生成する。
【００４５】
ペアリング画面は、例えば図１２に示すように、円マークＭ１をスタート位置７１から終了位置７２まで縦線と横線に沿ってジグザグに移動させていく動画像であり、各縦ラインＬ１〜Ｌ１５の長さによってコードを表わすようにしたものである。例えば、一番短い縦ラインＬ１０がコード「０」を表わし、この長さから線分Ｕずつ長くなるごとに「１」加算したコードが表わされるようになっている。例えば、縦ラインＬ９であれば縦ラインＬ１０より線分Ｕだけ長いのでコード「１」が表わされ、縦ラインＬ８であれば縦ラインＬ１０より線分Ｕ×４だけ長いのでコード「４」が表わされ、縦ラインＬ１１であれば縦ラインＬ１０より線分Ｕ×３だけ長いのでコード「３」が表わされる。そして、このようにして縦ラインＬ１〜Ｌ１５の各コードを組み合わせることで、ペアリングＩＤが表わされるようになっている。
【００４６】
ペアリング画面の動画像は、円マークＭ１がこの縦線と横線のジグザグの経路に沿って進んでいく動画像である。円マークＭ１が進んでいく際には、この経路自体を表示させても良いし、経路自体は表示させずに円マークＭ１だけが経路に沿って進んでいく表示としても良い。
【００４７】
テレビ受像機４０でペアリング画面が表示出力されたら、続くステップＳ１０で、音声受信機１０から送られてくる動作終了信号の入力処理を行って、動作終了信号の入力があったら続くステップＳ１２に移行する。このステップＳ１０の入力処理も、ステップＳ１１の判別処理により所定のタイムアウト時間が経過するまで繰り返す。
【００４８】
一方、音声受信機１０では、ステップＳ３６において、加速度センサ１２からの信号により音声受信機１０の移動経路や移動量を計測する処理を開始させる。ここで、ユーザは、ペアリング画面の動画像に従って音声受信機１０をその円マークＭ１に追従させて移動させる。すると、音声受信機１０の加速度センサ１２の検出出力に基づいて、音声受信機１０により図１２のペアリング画面の移動経路に沿った音声受信機１０の移動態様が認識される。
【００４９】
次に、音声受信機１０のコントローラ２０は、ステップＳ３７に移行して、ペアリングＩＤの読取動作の終了を確認する処理を行う。そして、動作終了が確認されなければ、ステップＳ３８の判別処理により所定のタイムアウト時間が経過するまで、この確認処理を繰り返す。
【００５０】
ペアリングＩＤの読取動作の終了は、音声受信機１０の横方向の移動量の合計が所定量に達するか（すなわち、図１２のペアリング画面において円マークＭ１のスタート位置７１から終了位置７２の長さ）、或いは、ＯＫボタン１５が押下されるか等により確認することができる。ペアリングＩＤの読取動作の終了時にはそれを示す動作終了信号が赤外線信号によりテレビ受像機４０にも送られる。
【００５１】
音声受信機１０にて読取動作の終了が確認されたら、ステップＳ３９に移行して、ペアリング画面から読み取った円マークＭ１の移動経路に基づきペアリングＩＤを算出する処理を行う。すなわち、円マークＭ１の経路における縦ラインＬ１〜Ｌ１５の各長さからコードを算出し、各縦ラインＬ１〜Ｌ１５の各コードを並べてペアリングＩＤとする。そして、ペアリングＩＤの読取り処理を完了する。読み取ったペアリングＩＤは記憶装置１９の所定領域に格納して、無線送受信回路１６の無線通信時に参照可能な状態となる。
【００５２】
このようにペアリングＩＤの読取り処理が完了したら、続いて、確認データとしてのペアリング実施コードをテレビ受像機４０から音声受信機１０へ読み取らせる処理（図５のステップＳ１２〜Ｓ１６、図７のステップＳ４０〜Ｓ４３）に移行する。
【００５３】
［ペアリング実施コード読取処理］
ペアリング実施コードとは、音声受信機１０がペアリングＩＤの読み取りを行った後に、ペアリングＩＤが正しく読み取られたか確認するのに使用するコード（確認データ）である。すなわち、ペアリングＩＤが読み取られたら、音声受信機１０はこのペアリングＩＤを用いてテレビ受像機４０と無線通信リンクを確立することが出来るはずである。従って、テレビ受像機４０が音声受信機１０に無線通信リンクの確立を図り、この無線通信リンクが確立できれば、音声受信機１０側でペアリングＩＤが正しく設定されたと推定できる。しかしながら、例えば、音声受信機１０が２個あって、一方は以前にペアリングＩＤが正しく設定され、今回、もう一方の音声受信機１０についてペアリングＩＤの設定を行ったような場合には、無線通信リンクが確立されただけでは、以前に設定済みの音声受信機１０と無線通信リンクが確立したのか、或いは、今回新たに設定した音声受信機１０と無線通信リンクが確立したのか判断できない。
【００５４】
そこで、無線通信リンクの確立後に、上記のペアリング実施コードを音声受信機１０からテレビ受像機４０に送らせて、新たにペアリングＩＤの設定を行った音声受信機１０との無線通信が確立したのか確認するようになっている。そのため、このペアリング実施コードはペアリング処理ごとに新たに生成され、ペアリング処理ごとに一意のコードになるように設定される。
【００５５】
ペアリング実施コードを読み取らせる処理に移行したら、先ず、ステップＳ１２において、テレビ受像機４０のコントローラ４８が、ペアリング処理ごとに一意となるようなペアリング実施コードを生成する。続いて、ステップＳ１３において、このペアリング実施コードを所定フォーマットに従った移動経路で表わした動画像パターンを生成する。そして、ステップＳ１４で、この動画像パターンを表示内容としたペアリング実施コード画面の表示出力を行う。ペアリング実施コードは、擬似乱数を利用して生成したり、連番コードを使用して生成したり、これらを組み合わせて生成することが出来る。ペアリング実施コード画面は、例えば、図１２のペアリング画面と同様のフォーマットにより、上記のように生成したペアリング実施コードに基づいて作成することが出来る。
【００５６】
ペアリング実施コード画面を出力したら、テレビ受像機４０のコントローラ４８は、続くステップＳ１５でペアリング動作後に音声受信機１０から送られてくる動作終了信号の入力処理を行い、動作終了信号の入力があったら続くステップＳ１７に移行する。このステップＳ１５の入力処理も、ステップＳ１６の判別処理により所定のタイムアウト時間が経過するまで繰り返される。
【００５７】
一方、音声受信機１０のコントローラ２０では、ステップＳ４０に移行して、加速度センサ１２からの信号により音声受信機１０の移動経路や移動量を計測する処理を実行する。ここでユーザは、ペアリングＩＤの読取処理のときと同様に、ペアリング実施コード画面の円マークＭ１に追従させて音声受信機１０を移動させる。
【００５８】
次いで、音声受信機１０のコントローラ２０は、ステップＳ４１に移行して、ペアリング実施コードの読取動作の終了を確認する処理をする。そして、動作終了が確認されなければ、ステップＳ４２の判別処理により所定のタイムアウト時間が経過するまで、この確認処理を繰り返す。ペアリング実施コードの読取動作の終了は、ペアリングＩＤの読み取りのときと同様の処理で確認することが出来る。また、読取動作の終了時には、それを示す動作終了信号が赤外線信号によりテレビ受像機４０にも送られる。
【００５９】
音声受信機１０で読取動作の終了が確認されたら、続くステップＳ４３で、ペアリング実施コード画面から読み取った円マークＭ１の移動経路からペアリング実施コードを算出する処理を行う。そして、ペアリング実施コードの読取処理が完了したら、続いて、ペアリングＩＤが正しく設定されたか確認する処理（図６のステップＳ１７〜Ｓ２１、図８のステップＳ４４〜Ｓ４８）へ移行する。
【００６０】
［ペアリングＩＤの正常設定の確認処理］
ペアリング実施コードの読取処理が完了して正常設定の確認処理に移行されたら、テレビ受像機４０と音声受信機１０の両方において、通常通信モードに切り替える処理を行う（図６のステップＳ１７，図８のステップＳ４４）。すなわち、赤外線信号による通信を停止させ無線送受信回路４６，１６を動作状態とする。続いて、両者において、無線信号の送受信により通信リンクを確立させる動作を行う（図６のステップＳ１８、図８のステップＳ４５）。通信リンクを確立させる際には、互いの記憶装置１９，４７に格納されているペアリングＩＤをヘッダに用いて無線信号の送受信を行う。
【００６１】
次に、音声受信機１０は、先の読取処理で取得したペアリング実施コードを受信応答があるまで繰り返し無線伝送する処理を行う（ステップＳ４６〜Ｓ４８）。一方、テレビ受像機４０側では、音声受信機１０から送られてくるペアリング実施コードを無線受信する処理をタイムアウトになるまで繰り返し行う（ステップＳ１９，Ｓ２０）。ここで、通信リンクが確立していないと、音声受信機１０では、ペアリング実施コードの伝送を繰り返し行って受信応答が得られず、ステップＳ４８の判別処理でタイムアウトとなる。また、テレビ受像機４０では、ペアリング実施コードの受信がなされずにステップＳ２０の判別処理でタイムアウトとなる。一方、通信リンクが確立していれば、ペアリング実施コードの伝送が完了される。
【００６２】
なお、フローチャートには示していないが、通信リングの確立動作後に、通信リンクが確立されたか否かを確認し、一定のタイムアウト時間が経過しても通信リンクが確立しなかった場合に、ペアリング失敗の処理へ移行するようにしても良い。
【００６３】
ペアリング実施コードが受信されたら、テレビ受像機４０側では、受信したペアリング実施コードが先のステップＳ１２で生成したものと一致するか比較して（ステップＳ２１）、一致していればステップＳ２２に移行してペアリング成功を示す画面表示を行う。一方、一致していなければステップＳ２３に移行してペアリング失敗を示す画面表示を行う。なお、異なるペアリング実施コードが受信された場合には、他の音声受信機から過去のペアリング実施コードが伝送されたと考えられるため、ペアリング失敗を示す画面表示の中に「付近にペアリング済みの他の受信機が存在します」旨のメッセージ表示を行うようにしても良い。
【００６４】
テレビ受像機４０でペアリングの成功又は失敗の画面表示を行ったら、その後、テレビ受像機４０の動作モードを通常の音声伝送モードに切り替えて（ステップＳ２４）、このペアリング処理を終了する。音声伝送モードとは、テレビ放送の音声信号をコード化して無線通信により伝送可能な状態とする動作モードである。
【００６５】
一方、音声受信機１０では、ペアリング実施コードの伝送が完了したら、動作モードを通常の音声伝送モードに切り替えて（ステップＳ４９）、このペアリング処理を終了する。音声伝送モードとは、無線通信により音声データを受信してこれを音声信号に変換してヘッドフォン端子に出力する動作モードである。
【００６６】
なお、上記ペアリング処理において、ステップＳ４，Ｓ７，Ｓ１１，Ｓ１６，Ｓ２０の判別処理でタイムアウト時間が経過した場合には、ステップＳ２３のペアリング失敗を示す処理に移行する。一方、音声受信機１０側においては、ステップＳ３２，Ｓ３５，Ｓ３８，Ｓ４２，Ｓ４８の判別処理でタイムアウト時間が経過した場合には、そのままステップＳ４９に移行した後このペアリング処理を終了する。
【００６７】
上記のように、この実施の形態のワイヤレス音声伝送システムによれば、上述したペアリング処理により、音声受信機１０をテレビ受像機４０の表示内容に従って動かすことで、テレビ受像機４０から音声受信機１０へペアリングＩＤを送って音声受信機１０のペアリングＩＤの設定を行うことが出来る。従って、ユーザは、煩雑な入力処理などを行う必要がなく、ゲーム感覚でペアリングＩＤの設定を行うことが出来る。また、テレビ受像機４０から音声受信機１０へ送られるペアリングＩＤは、無線信号や赤外線信号により送られるわけでないので、ペアリングＩＤの高い秘匿性を保つことが出来る。
【００６８】
また、ペアリング処理においては、先ず、キャリブレーション処理により、音声受信機１０の移動量のキャリブレーションが行われるので、例えば、テレビ受像機の画面サイズが複数種類あった場合でも、全ての製品に対して同一の処理プログラムを適用することが出来る。また、ペアリングＩＤの読取処理を行った後に、ペアリング処理ごとに異なるペアリング実施コードを音声受信機１０に読み取らせ、ペアリングＩＤの設定後に、このペアリング実施コードを無線伝送してペアリングＩＤが正しく設定されたか確認する処理を行うので、ペアリングＩＤの設定をより確実に行うことが出来る。
【００６９】
なお、本発明は、上記実施の形態に限られるものではなく、様々な変更が可能である。例えば、上記実施形態では、第２機器として、テレビ受像機を例示しているが、第２機器自体が表示部を有している必要はなく、例えば、チューナ装置や光ディスクプレーヤのように外部の表示装置に表示信号を出力して表示出力を行わせる装置としても良い。
【００７０】
また、上記実施の形態では、ペアリングＩＤやペアリング実施コードを音声受信機の移動経路と移動量により表わすように構成したが、例えば、音声受信機１０の移動速度や移動加速度の情報を加えてコードを表わすようにしても良い。また、移動経路で表わす場合でも、図１２に示したように各縦ラインＬ１〜Ｌ１５の移動量でコードを表わすのではなく、例えば、数字や文字を一筆書きのようになぞらせてその文字を認識させてコードとするようにしても良い。
【００７１】
また、上記実施の形態では、ペアリング処理に移行させるトリガーとして、ペアリングボタン１４の操作と音声受信機からテレビ受像機への赤外線信号による通知を利用しているが、ペアリングボタン１４のような操作部を音声受信機とテレビ受像機の両方に設け、これら両方の操作部を操作することで両方の機器が共にペアリング処理に移行するように構成しても良い。また、ペアリングボタンをテレビ受像機側に設け、その操作信号を赤外線通信によりテレビ受像機から音声受信機に通知して、両方の機器で共にペアリング処理に移行するようにしても良い。
【００７２】
また、ペアリング処理中の各処理（キャリブレーション処理、ペアリングＩＤの読取処理、ペアリング実施コードの読取処理、ペアリングＩＤの正常設定の確認処理など）に移行するトリガーとして、上記実施形態では、音声受信機１０の動作終了の確認や音声受信機１０からの赤外線信号による動作終了の通知をトリガーとして利用しているが、このようなトリガーを設けずに、所定期間の経過ごとに、テレビ受像機側でキャリブレーション用の動画像出力、ペアリングＩＤ読取用の動画像出力、ペアリング実施コード用の動画像出力に順次移行していく形態とするようにしても良い。
【００７３】
また、上記実施の形態では、無線通信により音声信号や音声データを伝送するシステムを例示しているが、その他、種々のデータを無線伝送するシステムに適用しても良い。また、設定処理される通信識別データとして、ペアリングＩＤを例示しているが、その他、通信データの暗号化や復号化に使用される暗号キーデータや、その他の認証データなど、通信に必要な種々のデータを含むようにしても良い。また、無線通信として赤外線通信を含むようにしても良い。その他、実施の形態で示した細部構成や細部処理方法については発明の趣旨を逸脱しない範囲で適宜変更可能である。
【図面の簡単な説明】
【００７４】
【図１】本発明の実施形態である第１機器としての音声受信機を示すもので、（ａ）はその側面図、（ｂ）は平面図である。
【図２】本発明の実施形態である第２機器としてのテレビ受像機を示す正面図である。
【図３】図１の音声受信機の内部構成を示すブロック図である。
【図４】図２のテレビ受像機の内部構成を示すブロック図である。
【図５】テレビ受像機のコントローラにより実行されるペアリング処理のフローチャートの前半部分である。
【図６】図５のフローチャートの続きの部分である。
【図７】音声受信機のコントローラにより実行されるペアリング処理のフローチャートの前半部分である。
【図８】図７のフローチャートの続きの部分である。
【図９】ペアリング処理中に行われるキャリブレーション処理の第１工程を示した説明図である。
【図１０】ペアリング処理中に行われるキャリブレーション処理の第２工程を示した説明図である。
【図１１】ペアリング処理中に行われるキャリブレーション処理の第３工程を示した説明図である。
【図１２】コードを移動経路や移動量で示した経路表示の一例を表わした説明図である。
【符号の説明】
【００７５】
１０    音声受信機
１１    ＩＲ発光部
１２    加速度センサ
１３    ヘッドフォン接続端子
１４    ペアリングボタン
１５    ＯＫボタン
１６    無線送受信回路
１７    信号処理回路
１８    アンプ
１９    記憶装置
２０    コントローラ
２１    サブコントローラ
４０    テレビ受像機
４１    表示パネル
４２    チューナ
４３    信号処理回路
４４    ＯＳＤ
４５    アンプ＆スピーカ
４６    無線送受信回路
４７    記憶装置
４８    コントローラ
４９    操作部
５０    ＩＲ受光部
５１    サブコントローラ
【図１】
2008228189.tif 000003
【図２】
2008228189.tif 000004
【図３】
2008228189.tif 000005
【図４】
2008228189.tif 000006
【図５】
2008228189.tif 000007
【図６】
2008228189.tif 000008
【図７】
2008228189.tif 000009
【図８】
2008228189.tif 000010
【図９】
2008228189.tif 000011
【図１０】
2008228189.tif 000012
【図１１】
2008228189.tif 000013
【図１２】
2008228189.tif 000014